(57)【要約】【課題】グリッドデータで面付けされた印刷物であっても、折り機で折って折り丁を形成することができるようにする。【解決手段】データ編集装置（１０）は、グリッドデータを編集して面付けデータを生成するデータ編集部（６４）と、フォールドデータの編集を指示するフォールドデータ編集指示部（５６）とを有する。この場合、データ編集部（６４）は、フォールドデータ編集指示部（５６）からフォールドデータの編集を指示された場合に、フォールドデータを面付けデータに追加する。【選択図】図２
2014207632.tif 000002
【特許請求の範囲】
【請求項１】
複数のページ領域を有する少なくとも１枚の印刷物に対して面付けを行うための面付けデータを編集するデータ編集装置であって、
前記各ページのページ番号及び天地方向で定義されるグリッドデータを編集して前記面付けデータを生成するデータ編集部と、
前記印刷物を折って折り丁を形成するための折り線の位置、折りの方向、及び、折りの順番で定義されるフォールドデータの編集を指示するフォールドデータ編集指示部と、
を有し、
前記データ編集部は、前記フォールドデータ編集指示部から前記フォールドデータの編集を指示された場合に、前記フォールドデータを前記面付けデータに追加することを特徴とするデータ編集装置。
【請求項２】
請求項１記載のデータ編集装置において、
外部からの前記フォールドデータの入力を受け付けるフォールドデータ入力部をさらに有し、
前記データ編集部は、前記フォールドデータ編集指示部から前記フォールドデータの編集を指示された場合に、前記フォールドデータ入力部で受け付けた前記フォールドデータを前記面付けデータに追加することを特徴とするデータ編集装置。
【請求項３】
請求項１又は２記載のデータ編集装置において、
前記面付けデータを記憶する記憶部をさらに有し、
前記データ編集部は、
前記印刷物を模擬した仮想印刷物に前記グリッドデータを面付けすることにより第１の面付けデータを生成し、生成した前記第１の面付けデータを前記記憶部に記憶し、
前記フォールドデータ編集指示部から前記フォールドデータの編集を指示された場合に、前記記憶部から前記第１の面付けデータを読み出し、読み出した前記第１の面付けデータに前記フォールドデータを追加することにより、前記仮想印刷物に前記グリッドデータ及び前記フォールドデータが面付けされた第２の面付けデータを生成することを特徴とするデータ編集装置。
【請求項４】
請求項３記載のデータ編集装置において、
前記仮想印刷物を表示する表示部をさらに有し、
前記表示部は、
前記データ編集部による前記第１の面付けデータの生成過程を表示し、
前記フォールドデータ編集指示部から前記データ編集部に前記フォールドデータの編集が指示された場合、面付けされていない仮想印刷物の表示に切り替え、
当該仮想印刷物への前記フォールドデータの面付けと、前記フォールドデータが面付けされた前記仮想印刷物に対する前記第１の面付けデータ中のグリッドデータの面付けとを順に表示することにより、前記第２の面付けデータの生成過程を表示することを特徴とするデータ編集装置。
【請求項５】
請求項４記載のデータ編集装置において、
前記第２の面付けデータで面付けされた前記仮想印刷物が前記表示部に表示された場合に、前記折り丁の形成を含めた後加工処理を前記印刷物に施して得られる最終生産物の先頭ページに対応した前記仮想印刷物の先頭ページに対する回転を指示する回転指示部と、
前記仮想印刷物の先頭ページの回転に追従して他のページも回転させる回転処理部と、
をさらに有し、
前記表示部は、前記回転処理部により前記他のページに対する回転処理が行われた場合に、前記回転処理前の仮想印刷物に代えて、全てのページに対する前記回転処理が行われた仮想印刷物を表示することを特徴とするデータ編集装置。
【請求項６】
請求項５記載のデータ編集装置において、
前記回転指示部は、前記仮想印刷物の先頭ページの回転角度を前記回転処理部に指示し、
前記回転処理部は、前記仮想印刷物に複数のページ領域が形成されている場合に、前記仮想印刷物の先頭ページの位置及び前記回転角度と、前記他のページの位置とに基づいて、前記回転角度に応じた所定角度だけ前記他のページを回転させることを特徴とするデータ編集装置。
【請求項７】
請求項４記載のデータ編集装置において、
前記第２の面付けデータで面付けされた前記仮想印刷物が前記表示部に表示された場合に、前記折り丁の形成を含めた後加工処理を前記印刷物に施して得られる最終生産物の先頭ページに対応した前記仮想印刷物の先頭ページについて、当該先頭ページの四辺のうち、いずれか一辺を前記最終生産物の背の位置として指定する背位置指定部と、
前記背位置指定部で指定された前記背の位置に対応して前記仮想印刷物の全てのページの天地方向を決定し、前記全てのページの現在の天地方向を前記決定した天地方向に変更する天地方向決定部と、
をさらに有し、
前記表示部は、前記天地方向決定部による前記全てのページに対する天地方向の変更処理が行われた場合に、前記変更処理前の仮想印刷物に代えて、前記変更処理が行われた仮想印刷物を表示することを特徴とするデータ編集装置。
【請求項８】
請求項４記載のデータ編集装置において、
前記第２の面付けデータで面付けされた前記仮想印刷物が前記表示部に表示された場合に、前記印刷物の紙目方向を示す紙目情報に基づいて、前記折り丁の形成を含めた後加工処理を前記印刷物に施して得られる最終生産物の先頭ページに対応した前記仮想印刷物の先頭ページについて、当該先頭ページの四辺のうち、いずれか一辺を前記最終生産物の背の位置として決定する背位置決定部と、
前記背位置決定部で決定された前記背の位置に対応して前記仮想印刷物の全てのページの天地方向を決定し、前記全てのページの現在の天地方向を前記決定した天地方向に変更する天地方向決定部と、
をさらに有し、
前記表示部は、前記天地方向決定部による前記全てのページに対する天地方向の変更処理が行われた場合に、前記変更処理前の仮想印刷物に代えて、前記変更処理が行われた仮想印刷物を表示することを特徴とするデータ編集装置。
【請求項９】
請求項８記載のデータ編集装置において、
前記折り丁を形成する際に最後に折る折り線の位置が前記最終生産物の背の位置として予め設定される場合に、
前記最後に折る折り線の方向と前記紙目方向とが一致していれば、前記背位置決定部は、前記背の位置を維持し、前記天地方向決定部は、前記全てのページに対する天地方向の変更処理を行わず、
一方で、前記最後に折る折り線の方向と前記紙目方向とが一致していなければ、前記背位置決定部は、前記最後に折った折り線の位置を前記最終生産物の袋の位置に設定して、前記袋の位置に基づき新たな背の位置を決定し、前記天地方向決定部は、前記袋の位置及び前記新たな背の位置に対応して、前記全てのページの天地方向を決定し、前記全てのページの現在の天地方向を前記決定した天地方向に変更することを特徴とするデータ編集装置。
【請求項１０】
複数のページ領域を有する少なくとも１枚の印刷物に対して面付けを行うための面付けデータを編集するデータ編集方法であって、
前記各ページのページ番号及び天地方向で定義されるグリッドデータをデータ編集部で編集して前記面付けデータを生成する第１の工程と、
前記印刷物を折って折り丁を形成するための折り線の位置、折りの方向、及び、折りの順番で定義されるフォールドデータの編集をフォールドデータ編集指示部から前記データ編集部に指示する第２の工程と、
前記フォールドデータ編集指示部からの指示に従って、前記データ編集部で前記フォールドデータを前記面付けデータに追加する第３の工程と、
を有することを特徴とするデータ編集方法。
【請求項１１】
複数のページ領域を有する少なくとも１枚の印刷物に対して面付けを行うための面付けデータを編集する手段としてコンピュータを機能させるプログラムであって、
前記各ページのページ番号及び天地方向で定義されるグリッドデータを編集して前記面付けデータを生成するデータ編集部と、
前記印刷物を折って折り丁を形成するための折り線の位置、折りの方向、及び、折りの順番で定義されるフォールドデータの編集を指示するフォールドデータ編集指示部と、
して前記コンピュータを機能させ、
前記フォールドデータ編集指示部から前記データ編集部に前記フォールドデータの編集を指示した場合に、前記データ編集部で前記フォールドデータを前記面付けデータに追加することを特徴とするプログラム。
【発明の詳細な説明】
【技術分野】
【０００１】
この発明は、複数のページ領域を有する少なくとも１枚の印刷物に対して面付けを行うための面付けデータを編集するデータ編集装置及びデータ編集方法、並びに、前記面付けデータを編集する手段としてコンピュータを機能させるプログラムに関する。
【背景技術】
【０００２】
近時、印刷製版の分野において、中間成果物を生成せずに電子データから刷版を直接形成するＣＴＰ（Ｃｏｍｐｕｔｅｒ  Ｔｏ  Ｐｌａｔｅ）が普及している。この場合、電子データを作成する工程として、複数のページを印刷物に面付けするための面付けデータを生成する工程がある。
【０００３】
このような面付けデータには、各ページのページ番号及び天地方向で定義されるグリッドデータと、印刷物を折って折り丁を形成するための折り線の位置、折りの方向、及び、折りの順番で定義されるフォールドデータとがある。特許文献１には、グリッドデータを用いて面付けを行う技術が開示されている。特許文献２〜４には、フォールドデータを用いて面付けを行う技術が開示されている。
【先行技術文献】
【特許文献】
【０００４】
【特許文献１】特許第２８９８５２５号公報
【特許文献２】特開平６−２０８２１９号公報
【特許文献３】特開２０１１−１７９３８号公報
【特許文献４】特開２０１１−７０４４９号公報
【発明の概要】
【発明が解決しようとする課題】
【０００５】
ところで、面付け後の後加工処理では、面付けデータにより面付けされた印刷物を折り機で折って折り丁を形成する。この場合、フォールドデータにより印刷物が面付けされていれば、折り機は、当該フォールドデータに含まれる折り線の位置、折りの方向、及び、折りの順番に基づいて、折り線を折って折り丁を形成することができる。
【０００６】
これに対して、グリッドデータにより印刷物が面付けされていれば、折り線の位置、折りの方向、及び、折りの順番がグリッドデータに含まれていないため、折り機は、当該印刷物を折って折り丁を形成することができない。
【０００７】
すなわち、従来は、グリッドデータ又はフォールドデータのいずれか一方しか印刷物に面付けすることができないので、グリッドデータで面付けされた印刷物については、折り機で折ることができなかった。
【０００８】
本発明は、このような課題を考慮してなされたものであり、グリッドデータで面付けされた印刷物であっても、折り機で折って折り丁を形成することができるデータ編集装置、データ編集方法及びプログラムを提供することを目的とする。
【課題を解決するための手段】
【０００９】
本発明は、複数のページ領域を有する少なくとも１枚の印刷物に対して面付けを行うための面付けデータを編集するデータ編集装置及びデータ編集方法、並びに、前記面付けデータを編集する手段としてコンピュータを機能させるためのプログラムに関するものである。
【００１０】
そして、本発明は、上記の目的を達成するために、下記の構成を有する。
【００１１】
すなわち、本発明に係るデータ編集装置は、各ページのページ番号及び天地方向で定義されるグリッドデータを編集して面付けデータを生成するデータ編集部と、印刷物を折って折り丁を形成するための折り線の位置、折りの方向、及び、折りの順番で定義されるフォールドデータの編集を指示するフォールドデータ編集指示部とを有する。この場合、前記データ編集部は、前記フォールドデータ編集指示部から前記フォールドデータの編集を指示された場合に、前記フォールドデータを前記面付けデータに追加する。
【００１２】
また、本発明に係るデータ編集方法は、各ページのページ番号及び天地方向で定義されるグリッドデータをデータ編集部で編集して面付けデータを生成する第１の工程と、印刷物を折って折り丁を形成するための折り線の位置、折りの方向、及び、折りの順番で定義されるフォールドデータの編集をフォールドデータ編集指示部から前記データ編集部に指示する第２の工程と、前記フォールドデータ編集指示部からの指示に従って、前記データ編集部で前記フォールドデータを前記面付けデータに追加する第３の工程とを有する。
【００１３】
さらに、本発明に係るプログラムは、各ページのページ番号及び天地方向で定義されるグリッドデータを編集して面付けデータを生成するデータ編集部と、印刷物を折って折り丁を形成するための折り線の位置、折りの方向、及び、折りの順番で定義されるフォールドデータの編集を指示するフォールドデータ編集指示部としてコンピュータを機能させ、前記フォールドデータ編集指示部から前記データ編集部に前記フォールドデータの編集を指示した場合に、前記データ編集部で前記フォールドデータを前記面付けデータに追加する。
【００１４】
このように、本発明では、フォールドデータ編集指示部がデータ編集部にフォールドデータの編集を指示した場合、前記データ編集部は、グリッドデータからなる面付けデータにフォールドデータを追加する。これにより、折り機では、追加後の前記面付けデータで面付けされた印刷物について、当該面付けデータに追加された前記フォールドデータに従って前記印刷物を折り、折り丁を形成することができる。
【００１５】
つまり、本発明では、前記グリッドデータからなる面付けデータに前記フォールドデータを単に追加するだけで、前記グリッドデータで面付けされた印刷物であっても、前記折り機で折って折り丁を形成することができる。すなわち、追加されたフォールドデータは、前記折り機に折り線等の情報を伝え、該折り機で正しく折って折り丁を形成する目的で用いられる。
【００１６】
ここで、データ編集装置は、外部からのフォールドデータの入力を受け付けるフォールドデータ入力部をさらに有してもよい。そして、データ編集部は、フォールドデータ編集指示部から前記フォールドデータの編集を指示された場合、前記フォールドデータ入力部で受け付けた前記フォールドデータを面付けデータに追加する。これにより、ユーザの指定したフォールドデータを前記面付けデータに追加することが可能となるので、面付けを容易に行うことができる。
【００１７】
また、データ編集装置は、面付けデータを記憶する記憶部をさらに有してもよい。この場合、データ編集部は、印刷物を模擬した仮想印刷物にグリッドデータを面付けすることにより第１の面付けデータを生成し、生成した前記第１の面付けデータを前記記憶部に記憶する。また、前記データ編集部は、フォールドデータ編集指示部からフォールドデータの編集を指示された場合、前記記憶部から前記第１の面付けデータを読み出し、読み出した前記第１の面付けデータに前記フォールドデータを追加する。これにより、前記仮想印刷物に前記グリッドデータ及び前記フォールドデータが面付けされた第２の面付けデータが生成される。
【００１８】
また、データ編集装置は、仮想印刷物を表示する表示部をさらに有してもよい。この場合、前記表示部は、先ず、データ編集部による第１の面付けデータの生成過程を表示する。次に、前記表示部は、フォールドデータ編集指示部から前記データ編集部にフォールドデータの編集が指示された場合には、面付けされていない仮想印刷物の表示に切り替える。その後、前記表示部は、当該仮想印刷物への前記フォールドデータの面付けと、前記フォールドデータが面付けされた前記仮想印刷物に対する前記第１の面付けデータ中のグリッドデータの面付けとを順に表示することにより、第２の面付けデータの生成過程を表示する。
【００１９】
このように、第１の面付けデータの生成、面付けされていない仮想印刷物、フォールドデータの面付け、及び、グリッドデータの面付け、を順に表示部に表示させることで、ユーザによる面付け作業の利便性が向上する。
【００２０】
また、データ編集装置は、第２の面付けデータで面付けされた仮想印刷物が表示部に表示された場合に、折り丁の形成を含めた後加工処理を印刷物に施して得られる最終生産物の先頭ページに対応した前記仮想印刷物の先頭ページに対する回転を指示する回転指示部と、前記仮想印刷物の先頭ページの回転に追従して他のページも回転させる回転処理部とをさらに有してもよい。
【００２１】
ここで、前記表示部は、前記回転処理部により前記他のページに対する回転処理が行われた場合に、前記回転処理前の前記仮想印刷物に代えて、全てのページに対する前記回転処理が行われた前記仮想印刷物を表示すればよい。
【００２２】
このように、先頭ページに対してのみ回転を指示するだけで、他のページも一斉に回転するため、ユーザが所望する面付けを行うことができる。
【００２３】
この場合、前記回転指示部は、前記仮想印刷物の先頭ページの回転角度を前記回転処理部に指示し、前記回転処理部は、前記仮想印刷物に複数のページ領域が形成されている場合に、前記仮想印刷物の先頭ページの位置及び前記回転角度と、前記他のページの位置とに基づいて、前記回転角度に応じた所定角度だけ前記他のページを回転させればよい。
【００２４】
これにより、前記他のページに対する回転処理を正確に且つ効率よく行うことができる。
【００２５】
また、データ編集装置は、第２の面付けデータで面付けされた仮想印刷物が表示部に表示された場合に、仮想印刷物の先頭ページについて、当該先頭ページの四辺のうち、いずれか一辺を最終生産物の背の位置として指定する背位置指定部と、前記背位置指定部で指定された前記背の位置に対応して前記仮想印刷物の全てのページの天地方向を決定し、前記全てのページの現在の天地方向を前記決定した天地方向に変更する天地方向決定部とをさらに有してもよい。そして、表示部は、前記天地方向決定部による前記全てのページに対する天地方向の変更処理が行われた場合に、前記変更処理前の仮想印刷物に代えて、前記変更処理が行われた仮想印刷物を表示すればよい。
【００２６】
これにより、ユーザが所望の一辺を背の位置に指定した場合に、指定した背の位置に応じて全てのページの天地方向が自動的に変更されるので、面付け作業に対する利便性が一層向上する。
【００２７】
さらに、データ編集装置は、第２の面付けデータで面付けされた仮想印刷物が表示部に表示された場合に、印刷物の紙目方向を示す紙目情報に基づいて、仮想印刷物の先頭ページについて、当該先頭ページの四辺のうち、いずれか一辺を最終生産物の背の位置として決定する背位置決定部と、前記背位置決定部で決定された前記背の位置に対応して前記仮想印刷物の全てのページの天地方向を決定し、前記全てのページの現在の天地方向を前記決定した天地方向に変更する天地方向決定部とをさらに有してもよい。そして、前記表示部は、前記天地方向決定部による前記全てのページに対する天地方向の変更処理が行われた場合に、前記変更処理前の仮想印刷物に代えて、前記変更処理が行われた仮想印刷物を表示すればよい。
【００２８】
前記紙目方向と前記天地方向とが合っていない場合、後加工処理において背の部分を糊付けして最終生産物（例えば、本）を形成しても、糊付け時にバタツキが発生したり、本が開きにくいという問題が惹起される。
【００２９】
そこで、前記紙目方向に基づいて前記背の位置を決定し、決定した前記背の位置に応じて全てのページの天地方向を変更することにより、上記の問題が発生することを回避することができる。
【００３０】
具体的に、前記折り丁を形成する際に最後に折る折り線の位置が前記最終生産物の背の位置として予め設定される場合に、前記最後に折る折り線の方向と前記紙目方向とが一致していれば、前記背位置決定部は、前記背の位置を維持し、前記天地方向決定部は、前記全てのページに対する天地方向の変更処理を行わない。
【００３１】
一方、前記最後に折る折り線の方向と前記紙目方向とが一致していなければ、前記背位置決定部は、前記最後に折った折り線の位置を前記最終生産物の袋の位置に設定して、前記袋の位置に基づき新たな背の位置を決定する。この場合、前記天地方向決定部は、前記袋の位置及び前記新たな背の位置に対応して、前記全てのページの天地方向を決定し、前記全てのページの現在の天地方向を前記決定した天地方向に変更する。
【００３２】
このようにすれば、前記紙目方向に基づく前記背の位置の決定や、決定した前記背の位置に応じた全てのページの天地方向の変更を、自動的に行うことができる。
【発明の効果】
【００３３】
本発明によれば、グリッドデータからなる面付けデータにフォールドデータを単に追加するだけで、前記グリッドデータで面付けされた印刷物であっても、折り機で折って折り丁を形成することができる。
【図面の簡単な説明】
【００３４】
【図１】本実施形態に係るデータ編集装置が組み込まれた印刷システムの概略説明図である。
【図２】図１のデータ編集装置の機能ブロック図である。
【図３】面付け作業のフローチャートである。
【図４】グリッドデータを入力可能なページ番号入力方式を選択するときの画面表示を示す説明図である。
【図５】グリッドデータを入力したときの画面表示を示す説明図である。
【図６】折り線情報の追加を指示したときの画面表示を示す説明図である。
【図７】フォールドデータを追加したときの画面表示を示す説明図である。
【図８】第１変形例のフローチャートである。
【図９】図９Ａは、第１変形例において、仮想印刷物の表面を示す説明図であり、図９Ｂは、仮想印刷物の裏面を示す説明図である。
【図１０】図１０Ａは、仮想印刷物の表面で各ページの天地方向を回転させた状態を示す説明図であり、図１０Ｂは、仮想印刷物の裏面で各ページの天地方向を回転させた状態を示す説明図である。
【図１１】第１変形例において、先頭ページ以外の他のページの回転に関するアルゴリズムを説明するための説明図である。
【図１２】他のページの回転に関するアルゴリズムを説明するためのフローチャートである。
【図１３】図１３Ａは、第２変形例において、仮想印刷物の表面を示す説明図であり、図１３Ｂは、仮想印刷物の裏面を示す説明図である。
【図１４】図１４Ａは、仮想印刷物の表面で各ページの天地方向を回転させた状態を示す説明図であり、図１４Ｂは、仮想印刷物の裏面で各ページの天地方向を回転させた状態を示す説明図である。
【図１５】第２変形例のフローチャートである。
【図１６】図１６Ａ及び図１６Ｂは、ロール紙と用紙送り方向との関係を示す説明図である。
【図１７】図１７Ａ及び図１７Ｂは、ロール紙と用紙送り方向との関係を示す説明図である。
【図１８】図１８Ａは、第３変形例において、仮想印刷物の表面を示す説明図であり、図１８Ｂは、仮想印刷物の裏面を示す説明図である。
【図１９】図１９Ａは、第３変形例において、仮想印刷物の表面を示す説明図であり、図１９Ｂは、仮想印刷物の裏面を示す説明図である。
【図２０】第３変形例のフローチャートである。
【発明を実施するための形態】
【００３５】
本発明に係るデータ編集装置について、それを実施するデータ編集方法及びプログラムとの関係において好適な実施形態を挙げ、添付の図面を参照しながら、以下詳細に説明する。
【００３６】
［本実施形態の構成］
図１は、本実施形態に係るデータ編集装置１０が組み込まれた印刷システム１２の概略説明図である。印刷システム１２は、製版サイト１４、印刷サイト１６、製本サイト１８、データベースサーバ２０、及び、ＬＡＮ２２を基本的に備える。製版サイト１４は、データ編集装置１０及び校正機２４を備える。
【００３７】
データ編集装置１０は、ページ記述言語（以下、ＰＤＬという。）によるページ単位の編集データ（ページ記述データ）、例えば、４色（ＣＭＹＫ）や３色（ＲＧＢ）のカラーチャンネルからなるＰＤＬ形式のデータを生成する。
【００３８】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００３９】
データ編集装置１０は、ページ単位の編集データに対して、所望の画像処理、例えば、プレフライト処理、色変換処理、又は、配置処理等を行った後、ラスタ形式のデータ（例えば、ビットマップやＴＩＦＦ）に変換し、印刷データを校正機２４に送信する各機能を有している。
【００４０】
データ編集装置１０は、本体部２６、表示部２８並びに入力部３０（キーボード３２及びマウス３４）を備える。ポインティングデバイスとしてのマウス３４に代替し、トラックパッドやトラックボールを用いてもよい。
【００４１】
校正機２４は、校正するための校正刷り３６を得る出力装置である。校正機２４として、オフセット印刷機と同等の印刷性能を備えるＤＤＣＰ（Ｄｉｒｅｃｔ  Ｄｉｇｉｔａｌ  Ｃｏｌｏｒ  Ｐｒｏｏｆｅｒ）、インクジェットカラープルーファ、低解像度のカラーレーザプリンタ（電子写真方式）やインクジェットプリンタ等が用いられる。
【００４２】
データベースサーバ２０は、最終印刷物４０（最終生産物）の生産に必要な各種データファイルを保存、更新、削除等する。各種データファイルには、図示しない制作会社からの素材データ（コンテンツ）、校正データ、刷版用データ、ジョブチケット（例えば、ＪＤＦ（Ｊｏｂ  Ｄｅｆｉｎｉｔｉｏｎ  Ｆｏｒｍａｔ）ファイル）、ＩＣＣ（Ｉｎｔｅｒｎａｔｉｏｎａｌ  Ｃｏｌｏｒ  Ｃｏｎｓｏｒｔｉｕｍ）プロファイル、色見本データ等が含まれる。
【００４３】
ＬＡＮ２２は、イーサネット（登録商標）等の通信規格に基づいて構築されている。そして、ＬＡＮ２２を介して、製版サイト１４、印刷サイト１６及びデータベースサーバ２０が相互に接続されている。例えば、製版サイト１４と印刷サイト１６とが地理的に離れている場合、ＬＡＮ２２を介して、刷版用データは、製版サイト１４と印刷サイト１６との間で授受される。
【００４４】
印刷サイト１６には、刷版用データを用いて所望の画像処理を行う画像処理装置、刷版を作成するためのプレートセッタ、所望の画像を各種メディアに印刷して印刷物（複数の端物３８）を得るオフセット印刷機等が配置されている。なお、プレートセッタ及びオフセット印刷機に代替して、刷版用データから直接印刷可能なデジタル印刷機を設けてもよい。
【００４５】
製本サイト１８には、印刷サイト１６側から供給された複数の端物３８に対して、表面処理、紙折り、丁合い、綴じ、断裁、表紙貼り等の生産工程（後加工処理）を実行する各種装置が配置されている。そして、後加工処理が順次実行されることで、最終印刷物４０（本図例では上製本）が生産される。
【００４６】
図２は、図１に示すデータ編集装置１０の機能ブロック図である。本体部２６は、制御部４２、通信Ｉ／Ｆ４４、表示制御部４６、印刷Ｉ／Ｆ４８及びメモリ５０を備える。
【００４７】
通信Ｉ／Ｆ４４は、外部装置からの電気信号を送受信するインターフェースである。例えば、図示しない制作会社から提供された素材データを取得可能である。また、データベースサーバ２０で管理・保存された刷版用データ、ＩＣＣプロファイル等の各種情報を取得可能である。
【００４８】
表示制御部４６は、制御部４２の制御に従って、表示部２８を駆動制御する制御回路である。表示制御部４６が、図示しないＩ／Ｆを介して、表示制御信号を表示部２８に出力することで、表示部２８が駆動する。これにより、表示部２８は、各種画像を表示することができる。
【００４９】
印刷Ｉ／Ｆ４８は、印刷データとしての電気信号を送信するインターフェースである。印刷Ｉ／Ｆ４８を介して、校正機２４は、所望の校正刷り３６を印刷することができる。
【００５０】
入力部３０は、キーボード３２及びマウス３４の機能を実現するために、入力方式選択部５２、ページ情報入力部５４、折り線情報追加指示部５６（フォールドデータ編集指示部）、折り線情報入力部５８（フォールドデータ入力部）、回転指示部６０及び背位置指定部６２を有する。ユーザが入力部３０を操作して所望の指示内容を入力すると、前述した入力部３０の各部は、入力された指示内容を受け付け、制御部４２に出力する。
【００５１】
制御部４２は、ＣＰＵ等のプロセッサによって構成されている。制御部４２は、メモリ５０に格納されたプログラムを読み出し実行することで、面付けデータ作成部６４（データ編集部）、表示データ作成部６６、回転処理部６８、天地方向決定部７０及び背位置決定部７２の機能を実現可能である。
【００５２】
この場合、面付けデータ作成部６４は、端物３８に対して面付けを行うための面付けデータを作成する。すなわち、面付けデータ作成部６４は、文字、図形、絵柄や写真等から構成される素材データから、ページ単位の編集データを作成する。そして、面付けデータ作成部６４は、指定された綴じ方法、綴じ方、紙折り方法等に基づいて、設定された紙サイズの紙（仮想印刷物）上に、ページ単位で面付けするための面付けデータ（例えば、ジョブチケット）を作成する。
【００５３】
なお、以下の説明において、仮想印刷物とは、端物３８を模擬した仮想の印刷物に加え、折り丁や最終印刷物４０を模擬した仮想の印刷物の意味で用いられる場合がある。
【００５４】
また、面付けデータには、グリッドデータとフォールドデータとがある。グリッドデータは、端物３８に面付けされた複数のページの位置、各ページのページ番号、及び、各ページの向きで定義されるデータである。フォールドデータは、製本サイト１８で端物３８を折って折り丁を形成するための折り線の位置、折り線に沿って端物３８を折る方向（折りの方向）、及び、折りの順番で定義されるデータである。
【００５５】
そして、本実施形態では、グリッドデータで面付けされた端物３８であっても、製本サイト１８で折り丁を形成して最終印刷物４０が得られるように、データ編集装置１０は、以下に説明する特徴的な構成を有する。
【００５６】
すなわち、面付けデータ作成部６４による面付けデータの作成に先立ち、ユーザが入力部３０を操作して、グリッドデータの作成又はフォールドデータの作成を指示した場合に、入力方式選択部５２は、入力された指示内容を受け付け、面付けデータ作成部６４に出力する。具体的に、入力方式選択部５２は、ページの位置及び向きとページ番号とを入力してグリッドデータを作成するページ番号入力方式、又は、折り線の位置、折りの方向及び折りの順番を示す折り線情報を入力してフォールドデータを作成する折り線入力方式、のいずれか一方をユーザが選択したことを示す指示内容を受け付ける。
【００５７】
ページ情報入力部５４は、ページ番号入力方式によるグリッドデータの作成が面付けデータ作成部６４に指示されている場合に、ユーザが入力部３０を操作して指示したページの位置及び向きとページ番号とを、面付けデータ作成部６４に通知する。これにより、面付けデータ作成部６４は、指示されたページの位置及び向きとページ番号とに従って、端物３８を模擬した仮想印刷物にページ及び天地方向を割り当て、グリッドデータによる面付けデータ（第１の面付けデータ）を作成（編集）することができる。
【００５８】
メモリ５０には、ページ情報蓄積部７４（記憶部）、紙情報蓄積部７６及び面付けデータ蓄積部７８が設けられている。面付けデータ作成部６４は、編集したグリッドデータによる面付けデータを、一時的にページ情報蓄積部７４に蓄積する。
【００５９】
折り線情報追加指示部５６は、ユーザが入力部３０を操作して、前記面付けデータに対するフォールドデータの追加を指示した場合に、入力された指示内容を受け付け、面付けデータ作成部６４に出力する。面付けデータ作成部６４は、入力された指示内容に基づいて、ページ情報蓄積部７４に一時的に蓄積された面付けデータを読み出す。
【００６０】
折り線情報入力部５８は、フォールドデータの追加が面付けデータ作成部６４に指示されている場合に、ユーザが入力部３０を操作して指示した折り線情報（折り線の位置、折りの方向及び折りの順番）を、面付けデータ作成部６４に通知する。これにより、面付けデータ作成部６４は、読み出した面付けデータに対して、指示された折り線情報を追加する。この結果、グリッドデータ及びフォールドデータが共に仮想印刷物に面付けされた新たな面付けデータ（第２の面付けデータ）が編集される。面付けデータ作成部６４は、編集後の新たな面付けデータを面付けデータ蓄積部７８に蓄積する。
【００６１】
表示データ作成部６６は、面付けデータ作成部６４での面付けデータの編集過程（生成過程）において、面付けデータ作成部６４から仮想印刷物を含めたデータが入力される毎に、ＲＩＰ処理を行ってラスタ形式データに変換する。例えば、面付けされた仮想印刷物を示すデータが入力された場合、ページ単位の編集データを所定のデータ領域内にそれぞれ配置し、トンボ等のマーク情報を付加して、ラスタライズ処理を行うことにより、ＲＩＰ処理後の面付けデータを得る。従って、表示制御部４６は、ラスタ形式データに応じた表示制御信号を表示部２８に出力して、表示部２８の画面上に仮想印刷物を表示させることができる。
【００６２】
ところで、ＪＤＦの規約では、端物３８を折って折り丁を形成し、該折り丁から最終印刷物４０としての上製本を得る場合、端物３８を最後に折る折り線の位置を上製本の背の位置に設定しなければならない。
【００６３】
しかしながら、ユーザにとっては、背の位置を所望の位置に変更したいという要望がある。また、後述するように、端物３８及び最終印刷物４０（上製本）を構成する紙の紙目の方向（紙目方向）と、背の位置（背の方向）とが合わない場合には、後加工処理において背の部分を糊付けして上製本を形成しても、糊付け時にバタツキが発生したり、上製本が開きにくくなる。
【００６４】
そこで、本実施形態において、データ編集装置１０は、このような問題を解決するために、下記の機能を有する。
【００６５】
すなわち、グリッドデータ及びフォールドデータが面付けされた仮想印刷物が表示部２８の画面上に表示された場合、ユーザは、入力部３０を操作し、各ページの天地方向の変更を指示することができる。この場合、回転指示部６０は、ユーザが指示した天地方向の回転角度（変更後の天地方向）を制御部４２に通知する。
【００６６】
回転処理部６８は、入力された指示内容に基づいて、面付けデータ蓄積部７８から面付けデータを読み出す。そして、回転処理部６８は、読み出した面付けデータについて、仮想印刷物に割り当てられた全てのページの天地方向を、回転指示部６０から指示された回転角度に基づく所定角度で回転させ、回転処理後の面付けデータを面付けデータ作成部６４に出力する。
【００６７】
面付けデータ作成部６４は、回転処理後の面付けデータを面付けデータ蓄積部７８に蓄積させると共に、表示データ作成部６６に出力し、ラスタ形式データを作成させる。表示制御部４６から表示部２８に前記ラスタ形式データに応じた表示制御信号が供給されることにより、ユーザの指示通りに全てのページの天地方向が回転した面付けデータが表示部２８の画面に表示される。
【００６８】
また、グリッドデータ及びフォールドデータが面付けされた仮想印刷物が表示部２８の画面上に表示された場合、ユーザは、入力部３０を操作し、仮想印刷物（上製本）の背の位置の変更を指定することもできる。この場合、背位置指定部６２は、ユーザが指定した背の位置を制御部４２に通知する。
【００６９】
背位置決定部７２は、入力された指示内容に基づいて、面付けデータ蓄積部７８から面付けデータを読み出す。そして、背位置決定部７２は、読み出した面付けデータについて、背位置指定部６２から指定された位置を、仮想印刷物の新たな背の位置として決定する。
【００７０】
この場合、天地方向決定部７０は、背位置決定部７２で決定された新たな背の位置に基づき、仮想印刷物に割り当てられた全てのページの天地方向を特定する。すなわち、ユーザからの指示により背の位置が変更された場合、天地方向決定部７０は、全てのページの天地方向を、新たな背の位置に応じた天地方向に変更する。変更処理後の面付けデータは、面付けデータ作成部６４に出力される。
【００７１】
従って、面付けデータ作成部６４は、変更処理後の面付けデータを面付けデータ蓄積部７８に蓄積させると共に、表示データ作成部６６に出力し、ラスタ形式データを作成させる。表示制御部４６から表示部２８に前記ラスタ形式データに応じた表示制御信号が供給されることにより、ユーザの指示通りに背の位置が変更され、且つ、変更後の背の位置に応じて全てのページの天地方向が変更された面付けデータが表示部２８の画面に表示される。
【００７２】
さらに、紙情報蓄積部７６には、端物３８及び最終印刷物４０として印刷可能な紙の情報（紙情報）が蓄積されている。具体的に、紙情報は、端物３８を構成する紙の種類、サイズ及び紙目方向（紙目情報）を含む。
【００７３】
そこで、背位置決定部７２は、面付けデータ蓄積部７８に蓄積された面付けデータを読み出し、読み出した面付けデータに含まれる背の位置（背の方向）と、紙目方向とが一致しているか否かを判断する。両者が不一致であれば、背位置決定部７２は、最後に折る折り線の位置を袋の位置にすると共に、前記袋の位置に基づき、前記紙目方向に一致する折り線の位置を、最後に折る折り線の位置（新たな背の位置）として決定する。
【００７４】
天地方向決定部７０は、背位置決定部７２で決定された袋の位置及び新たな背の位置に基づいて、全てのページの新たな天地方向を決定し、全てのページの現在の天地方向を、決定した新たな天地方向に変更する。変更処理後の面付けデータは、面付けデータ作成部６４に出力される。これにより、面付けデータ作成部６４は、変更処理後の面付けデータを面付けデータ蓄積部７８に蓄積させると共に、表示データ作成部６６に出力し、ラスタ形式データを作成させる。表示制御部４６から表示部２８に前記ラスタ形式データに応じた表示制御信号が供給されることにより、背の位置が紙目方向に沿った面付けデータが表示部２８の画面に表示される。
【００７５】
なお、背の位置と紙目方向とが一致している場合には、上記のような天地方向の変更等の処理は行われない。
【００７６】
［本実施形態の基本的な動作］
本実施形態に係るデータ編集装置１０は、基本的には、以上のように構成される。次に、データ編集装置１０の動作（データ編集方法）について、図３〜図７を参照しながら説明する。
【００７７】
ここでは、仮想印刷物への面付けによる面付けデータの編集過程に関して、グリッドデータにより面付けデータを編集した後に、該面付けデータにフォールドデータを追加して新たな面付けデータを編集する場合について説明する。また、この動作説明では、仮想印刷物を構成する１枚の用紙の表面及び裏面に２ページ分、合計で４ページを割り当てる面付けデータを作成する場合について説明する。さらに、この動作では、必要に応じて、図１及び図２も参照しながら説明する。
【００７８】
先ず、図３のステップＳ１において、ユーザは、図４に示す表示部２８（図１及び図２参照）の画面８０を見ながら入力部３０を操作し、ページ番号入力方式を選択する。入力方式選択部５２は、ユーザが選択したページ番号入力方式を指示内容として受け付け、受け付けた指示内容を制御部４２に出力する。これにより、制御部４２の面付けデータ作成部６４は、入力された指示内容に従って、ページ番号入力方式によるグリッドデータの作成が可能な状態となる。
【００７９】
具体的に、図４において、画面８０は、左側で上下に配置された表示領域８２、８４と、右側に配置された表示領域８６と、アイコン群８８、９０とを含み構成されている。
【００８０】
表示領域８２には、仮想印刷物９２の用紙９３が表示されている。用紙９３における所定の領域９４には、２つのページ９６、９８が割り当てられている。なお、領域９４中の各ページ９６、９８に割り当てられた数字は、左側のページ９６が第２ページであり、右側のページが第３ページであることを示している。
【００８１】
また、表示領域８４内の所定の領域１００には、仮想印刷物９２の１枚の用紙９３の表面と裏面とがそれぞれ表示されている。この場合、表面には、２つのページ９６ａ、９８ａ（第２ページ、第３ページ）が割り当てられ、裏面には、２つのページ９６ｂ、９８ｂ（第１ページ、第４ページ）が割り当てられている。
【００８２】
なお、以下の説明では、１枚の用紙９３（仮想印刷物９２）について、表面に割り当てられたページには、参照数字に続いて「ａ」の符号を付けて説明し、裏面に割り当てられたページには、参照数字に続いて「ｂ」の符号を付けて説明する。そのため、第２ページを示すページ９６ａの裏側には、第１ページを示すページ９６ｂが配置され、第３ページを示すページ９８ａの裏側には、第４ページを示すページ９８ｂが配置されている。
【００８３】
表示領域８６には、アイコン群９０と、ユーザが折り丁の設定を指示するための表示内容が表示された折り丁設定領域１０２と、ユーザが面付けデータの設定を指示するための表示内容が表示された面付けパターン設定領域１０４とが表示されている。このうち、面付けパターン設定領域１０４には、表示領域８２、８４に表示された仮想印刷物９２に対する面付け方法、すなわち、面付けデータの生成方式を選択するためのウィジェット１０６が表示されている。
【００８４】
従って、ユーザがマウス３４を操作し、ウィジェット１０６中の「ページ番号入力」の項目を選択することにより、入力方式選択部５２は、ページ番号入力方式の指示を受け付ける。図４では、選択された「ページ番号入力」が網掛け表示されている。なお、ウィジェット１０６中、「折り線入力」は、フォールドデータによる面付けデータの編集を指示するための項目であり、ユーザがマウス３４を操作して選択すると、入力方式選択部５２は、折り線入力方式の指示を受け付ける。
【００８５】
なお、ステップＳ１では、予め、面付けデータ作成部６４から表示データ作成部６６に、ページ番号入力方式をユーザに選択させるために必要なデータを出力することにより、画面８０上に図４に示す表示内容が表示される。すなわち、表示データ作成部６６は、入力されたデータに対してＲＩＰ処理を行ってラスタ形式データに変換し、表示制御部４６は、ラスタ形式データに応じた表示制御信号を表示部２８に出力して、画面８０に図４の表示内容を表示させる。
【００８６】
次のステップＳ２（第１の工程）において、面付けデータ作成部６４は、ページ番号入力方式によるグリッドデータの編集を行うため、当該グリッドデータの編集に関わるデータを表示データ作成部６６に出力する。表示データ作成部６６は、入力されたデータに応じたラスタ形式データを作成し、表示制御部４６は、ラスタ形式データに応じた表示制御信号を表示部２８に出力して、図５に示す編集画面１１０による表示を行わせる。
【００８７】
編集画面１１０は、ページ番号の入力設定が可能な表示領域１１２を含み構成されている。表示領域１１２には、仮想印刷物９２を構成する１枚の用紙１１４の表面及び裏面が表示されている。表面には２つのページ１１６ａ、１１８ａが割り当てられ、裏面にも２つのページ１１６ｂ、１１８ｂが割り当てられている。
【００８８】
ここで、各ページ１１６ａ、１１６ｂ、１１８ａ、１１８ｂの中央には、テキストボックスが表示されている。ユーザは、キーボード３２及びマウス３４を操作することにより、所望のページ１１６ａ、１１６ｂ、１１８ａ、１１８ｂのテキストボックスにページ番号を入力することができる。ページ情報入力部５４は、入力されたページ番号を受け付け、面付けデータ作成部６４に通知する。
【００８９】
面付けデータ作成部６４は、指示されたページ番号を面付けデータに反映する。この結果、面付けデータ作成部６４は、ユーザから指示されたページ番号が所定のページに割り当てられた、グリッドデータによる面付けデータを編集することができる。編集された面付けデータは、ページ情報蓄積部７４に一時的に蓄積される。
【００９０】
また、編集された面付けデータは、表示データ作成部６６に出力され、表示データ作成部６６は、入力された面付けデータに応じたラスタ形式データを作成し、表示制御部４６は、ラスタ形式データに応じた表示制御信号を表示部２８に出力して、面付けデータの表示を行わせる。
【００９１】
なお、図５の各ページ１１６ａ、１１６ｂ、１１８ａ、１１８ｂの上側には、天地方向を示す三角形状の矢印が表示されている。この場合、矢印の方向が天を示している。また、各ページ１１６ａ、１１６ｂ、１１８ａ、１１８ｂの左上隅には、天地方向の回転（変更）が可能であることを示す回転矢印も表示されている。
【００９２】
次のステップＳ３（第２の工程）において、ユーザは、マウス３４を操作して、表示領域１１２の下側に表示されているチェックボックス１２２をチェックする。これにより、ユーザは、面付けデータへの折り線情報の追加、すなわち、フォールドデータの追加を指示することができる。
【００９３】
折り線情報追加指示部５６は、折り線情報の追加を示す指示内容を受け付け、受け付けた指示内容を制御部４２に出力する。これにより、面付けデータ作成部６４は、入力された指示内容に従って、面付けされていない仮想印刷物９２を構成する１枚の用紙１１４のデータを表示データ作成部６６に出力する。表示データ作成部６６は、入力されたデータに応じたラスタ形式データを作成し、表示制御部４６は、ラスタ形式データに応じた表示制御信号を表示部２８に出力する。
【００９４】
これにより、表示部２８は、図６に示すように、編集画面１１０の表示領域１１２に、面付けされていない各ページ１１６ａ、１１６ｂ、１１８ａ、１１８ｂを表示させる（ステップＳ４、第３の工程）。なお、図６では、ユーザによるマウス３４の操作で、チェックボックス１２２がチェック済であることが表示されている。これにより、ユーザは、マウス３４を操作して、折りの方向を選択するためのラジオボタン群１２４をクリックすることが可能となる。
【００９５】
一方、面付けデータ作成部６４は、折り線情報の追加を示す指示内容を受けて、ページ情報蓄積部７４に一時的に蓄積された、グリッドデータによる面付けデータ（図５で図示された面付け状態を示すデータ）を読み出す。
【００９６】
ステップＳ５において、ユーザは、マウス３４を操作して、例えば、ラジオボタン群１２４の中から折りの方向が山折りを示すラジオボタンを選択し、次に、２つのページ１１６ａ、１１８ａを区切る線（用紙１１４の表面を左右の２つのページ１１６ａ、１１８ａに分割する中心線）をクリックし、当該中心線を折り線とするように指示する。
【００９７】
折り線情報入力部５８は、山折り及び折り線の位置を示す指示内容を受け付け、受け付けた指示内容を制御部４２に出力する。これにより、面付けデータ作成部６４は、面付けされていない用紙１１４に対して、指示対象の線を折り線として指定すると共に、当該折り線で山折りする旨の情報も追加する。また、面付けデータ作成部６４は、ページ情報蓄積部７４から読み出した面付けデータに含まれるページ番号及び天地方向をデフォルト値として、当該用紙１１４に付加する。これにより、グリッドデータ（ページ番号、天地方向）に対してフォールドデータ（折り線、山折り）が追加された新たな面付けデータが編集される。
【００９８】
なお、全ての折り線の入力が終了していない場合（ステップＳ６：ＮＯ）には、上記のステップＳ５の処理を再度行えばよい。
【００９９】
一方、全ての折り線の入力が終了している場合（ステップＳ６：ＹＥＳ）、例えば、ユーザが入力部３０を操作して、全ての折り線を入力したことを指示した場合、折り線情報入力部５８は、入力された指示内容を受け付け、制御部４２に通知する。
【０１００】
面付けデータ作成部６４は、入力された指示内容に従って、編集後の新たな面付けデータを面付けデータ蓄積部７８に蓄積すると共に、表示データ作成部６６に出力する。表示データ作成部６６は、入力された新たな面付けデータに応じたラスタ形式データを作成し、表示制御部４６は、ラスタ形式データに応じた表示制御信号を表示部２８に出力する。
【０１０１】
これにより、表示部２８は、図７に示すように、編集画面１１０の表示領域１１２に、グリッドデータ及びフォールドデータが面付けされた仮想印刷物９２の用紙１１４を表示させることができる。
【０１０２】
なお、図７では、折り線１２６が破線で図示され、当該折り線１２６の上側には、折りの順番を示す領域１２８（最初に折ることを示す「１」の数字）が表示されている。また、折り線１２６を破線で図示すると共に、ラジオボタン群１２４中、山折りを示すラジオボタンが選択されている。
【０１０３】
従って、ユーザは、これらの表示内容を見ることで、ユーザの指示通りに、折り線１２６の位置と、用紙１１４を折る方向と、折りの順番とが設定されたことを確認することができる。
【０１０４】
そして、ステップＳ８において、ユーザは、編集画面１１０の表示内容を見ながら、必要に応じて、マウス３４を操作し、所望のページ１１６ａ、１１６ｂ、１１８ａ、１１８ｂのページ番号及び天地方向を変更するよう指示することができる。この場合、ステップＳ２と同様に、折り線情報入力部５８は、入力された指示内容を制御部４２に通知すればよい。面付けデータ作成部６４は、指示内容に従って、面付けデータ蓄積部７８から面付けデータを読み出し、読み出した面付けデータに対して、指示内容に示すページ１１６ａ、１１６ｂ、１１８ａ、１１８ｂについて、ページ番号及び天地方向の変更を行う。
【０１０５】
変更後の面付けデータは、面付けデータ蓄積部７８に蓄積されると共に、表示データ作成部６６に出力される。表示データ作成部６６は、変更後の面付けデータに応じたラスタ形式データを作成し、表示制御部４６は、ラスタ形式データに応じた表示制御信号を表示部２８に出力する。これにより、編集画面１１０の表示領域１１２には、変更後の仮想印刷物９２の用紙１１４が表示される。ユーザは、編集画面１１０の表示内容を見て、指示通りにページ番号及び天地方向が変更されたか否かを確認することができる。
【０１０６】
［本実施形態の他の動作］
次に、本実施形態に係るデータ編集装置１０の他の動作（第１〜第３変形例）について、図８〜図２０を参照しながら説明する。
【０１０７】
第１〜第３変形例は、いずれも、グリッドデータ及びフォールドデータで面付けされた仮想印刷物９２が編集画面１１０に表示された場合に（図３のステップＳ７）、表示内容を見たユーザによるマウス３４の操作に起因して行われる面付けデータの編集処理である。つまり、第１〜第３変形例は、図３のステップＳ８の処理に代替して行われる。
【０１０８】
すなわち、例えば、ＪＤＦの規格では、端物３８を折って折り丁を形成し、該折り丁から最終印刷物４０を形成する場合、最後に折った折り線の位置を上製本の背の位置とすることが規定されている。しかしながら、ユーザによっては、用紙の紙目方向等の関係で、背の位置を変更したいという要望がある。また、背の位置の変更に伴い、各ページの天地方向も変更する必要がある。そこで、第１〜第３変形例では、このような問題に対応すべく、背の位置の変更や各ページの天地方向の変更を可能にする処理を実行する。
【０１０９】
以下に、第１〜第３変形例について、順に説明する。
【０１１０】
［第１変形例］
図８〜図１２に示す第１変形例は、ユーザが先頭ページ（第１ページ）の天地方向の変更（回転）を指示すると、当該先頭ページの天地方向が回転すると共に、他のページの天地方向も追従して回転するというものである。
【０１１１】
図８は、第１変形例のフローチャートを示す。また、図９Ａ及び図９Ｂは、編集画面１１０に表示された仮想印刷物９２を構成する１枚の用紙１３０の表面及び裏面の表示内容を示す。
【０１１２】
図９Ａ及び図９Ｂでは、用紙１３０の表面及び裏面に、それぞれ、８つのページ１３２ａ、１３２ｂが割り当てられている。また、用紙１３０の表面には、折り線１３６、１３８、１４０が表示されると共に、折りの順番を示す領域１４２、１４４、１４６も表示されている。
【０１１３】
ここで、ユーザが編集画面１１０に表示された用紙１３０を見て（図３のステップＳ７）、各ページ１３２ａ、１３２ｂの天地方向を回転（例えば、時計方向に９０°回転）させることが必要と判断した場合、当該ユーザは、マウス１３４を操作し、裏面の第１ページ（ページ１３２ｂ）をクリックする。これにより、回転指示部６０は、第１ページの回転を示す指示内容を受け付け、受け付けた指示内容を制御部４２に出力すると共に、当該ページ１３２ｂに回転矢印を表示させる。
【０１１４】
ステップＳ９において、回転処理部６８は、入力された指示内容に従って、面付けデータ蓄積部７８から面付けデータ（デフォルト値としてのグリッドデータ及びフォールドデータを含む面付けデータ）を読み出し、読み出した面付けデータ中、第１ページについて、天地方向を時計回りに９０°回転させる。
【０１１５】
次のステップＳ１０において、回転処理部６８は、他のページ１３２ａ、１３２ｂについても、第１ページに追従して天地方向を回転させる。この場合、回転処理部６８は、回転後の第１ページの天地方向との整合が取れるように、他のページ１３２ａ、１３２ｂの天地方向を回転させる。なお、具体的な回転処理の方法については後述する。
【０１１６】
次のステップＳ１１において、回転処理部６８は、回転処理後の面付けデータを面付けデータ作成部６４に出力する。面付けデータ作成部６４は、回転処理後の面付けデータを新たな面付けデータとして面付けデータ蓄積部７８に蓄積すると共に、表示データ作成部６６に出力する。表示データ作成部６６は、入力された新たな面付けデータに応じたラスタ形式データを作成し、表示制御部４６は、ラスタ形式データに応じた表示制御信号を表示部２８に出力する。
【０１１７】
これにより、表示部２８は、編集画面１１０の表示領域１１２に、図１０Ａ及び図１０Ｂに示すように、回転処理後の面付けデータで面付けされた仮想印刷物９２を表示させることができる。ユーザは、表示された仮想印刷物９２を見ることで、指示内容に従って全てのページ１３２ａ、１３２ｂの天地方向が変更されたことを確認することができる。
【０１１８】
次に、ステップＳ１０の回転処理のアルゴリズムについて、図１１及び図１２を参照しながら説明する。
【０１１９】
図１１は、一例として、仮想印刷物９２を構成する１枚の用紙１５０に複数のページ１５２を割り当てた状態を示す。１枚の用紙１５０には、ｘ方向に４列及びｙ方向に３行、合計で１２ページ分のページ１５２が割り当てられている。
【０１２０】
ここで、図１２のステップＳ２１において、回転処理部６８は、用紙１５０での先頭ページ（第１ページ）の列及び行を示すインデックス番号（ｘｆ、ｙｆ）と、先頭ページの回転角度ｒとを取得する。
【０１２１】
前述のように、図８のステップＳ９に先立ち、回転処理部６８は、ユーザからの指示内容（第１ページの天地方向を回転する旨の指示）を受け取っている。そのため、回転処理部６８は、前記指示内容に従って、第１ページのインデックス番号（ｘｆ、ｙｆ）を特定し、回転角度ｒ（例えば、時計方向に９０°）と関連付ける。
【０１２２】
次のステップＳ２２において、回転処理部６８は、（ｘｆ＋ｙｆ）の値が奇数か否かを判定する。
【０１２３】
（ｘｆ＋ｙｆ）の値が奇数である場合（ステップＳ２２：ＹＥＳ）、回転処理部６８は、（ｘｆ、ｙｆ）以外の他の１つのページ１５２のインデックス番号（ｘｉ、ｙｉ）を取得する（ステップＳ２３）。
【０１２４】
次のステップＳ２４において、回転処理部６８は、当該１つのページ１５２について、（ｘｉ＋ｙｉ）の値が奇数であるか否かを判定する。
【０１２５】
回転処理部６８は、（ｘｉ＋ｙｉ）の値が奇数である場合（ステップＳ２４：ＹＥＳ）、次のステップＳ２５において、判定対象となったインデックス番号（ｘｉ、ｙｉ）のページ１５２に関し、天地方向を＋ｒ°（例えば、時計方向に９０°）だけ回転させる。
【０１２６】
一方、回転処理部６８は、（ｘｉ＋ｙｉ）の値が偶数である場合（ステップＳ２４：ＮＯ）、次のステップＳ２６において、判定対象となったインデックス番号（ｘｉ、ｙｉ）のページ１５２に関し、天地方向を−ｒ°（例えば、反時計方向に９０°）だけ回転させる。
【０１２７】
次のステップＳ２７において、回転処理部６８は、用紙１５０中の全てのページ１５２に対する天地方向の回転処理が終了していない場合（ステップＳ２７：ＮＯ）、ステップＳ２３に戻って、残りのページ１５２のインデックス番号（ｘｉ、ｙｉ）を取得し、ステップＳ２４〜Ｓ２７の処理を繰り返し実行する。
【０１２８】
これにより、回転処理部６８では、用紙１５０中の全てのページ１５２に対する天地方向の回転処理を実行することができる。すなわち、ユーザがマウス３４を操作して第１ページに対する天地方向の変更を指示するだけで、回転処理部６８は、第１ページを含めた全てのページ１５２の天地方向を変更することができる。この結果、全てのページ１５２に対する天地方向の回転処理が終了した場合（ステップＳ２７：ＹＥＳ）には、図８のステップＳ１１の処理が行われる。
【０１２９】
また、前述したステップＳ２２において、（ｘｆ＋ｙｆ）の値が偶数である場合（ステップＳ２２：ＮＯ）、回転処理部６８は、ステップＳ２３と同様に、（ｘｆ、ｙｆ）以外の他の１つのページ１５２のインデックス番号（ｘｉ、ｙｉ）を取得する（ステップＳ２８）。
【０１３０】
そして、次のステップＳ２９において、回転処理部６８は、ステップＳ２４と同様に、当該１つのページ１５２について、（ｘｉ＋ｙｉ）の値が奇数であるか否かを判定する。
【０１３１】
回転処理部６８は、（ｘｉ＋ｙｉ）の値が奇数である場合（ステップＳ２９：ＹＥＳ）、次のステップＳ３０において、判定対象となったインデックス番号（ｘｉ、ｙｉ）のページ１５２に関し、ステップＳ２６と同様に、天地方向を−ｒ°だけ回転させる。
【０１３２】
一方、回転処理部６８は、（ｘｉ＋ｙｉ）の値が偶数である場合（ステップＳ２９：ＮＯ）、次のステップＳ３１において、判定対象となったインデックス番号（ｘｉ、ｙｉ）のページ１５２に関し、ステップＳ２５と同様に、天地方向を＋ｒ°だけ回転させる。
【０１３３】
次のステップＳ３２において、回転処理部６８は、用紙１５０中の全てのページ１５２に対する天地方向の回転処理が終了していない場合（ステップＳ３２：ＮＯ）、ステップＳ２８に戻って、残りのページ１５２のインデックス番号（ｘｉ、ｙｉ）を取得し、ステップＳ２９〜Ｓ３２の処理を繰り返し実行する。
【０１３４】
この場合でも、回転処理部６８では、用紙１５０中の全てのページ１５２に対する天地方向の回転処理を実行することができる。つまり、ユーザがマウス３４を操作して第１ページに対する天地方向の変更を指示するだけで、回転処理部６８は、第１ページを含めた全てのページ１５２の天地方向を変更することができる。この結果、全てのページ１５２に対する天地方向の回転処理が終了した場合（ステップＳ３２：ＹＥＳ）には、図８のステップＳ１１の処理が行われる。
【０１３５】
［第２変形例］
図１３Ａ〜図１５に示す第２変形例は、ユーザが用紙１３０中の先頭ページ（第１ページ）の４つの辺１５４のうち、任意の一辺を最終印刷物４０（上製本）の背１５６の位置として指定すると、指定された背１５６の位置に応じて、全てのページ１３２ａ、１３２ｂの天地方向が自動的に変更されるというものである。
【０１３６】
ここで、図１３Ａ及び図１３Ｂは、背１５６の位置を変更する前の仮想印刷物９２の用紙１３０の状態を示し、図１４Ａ及び図１４Ｂは、背１５６の位置を変更した後の用紙１３０の状態を示している。すなわち、図１３Ａ及び図１３Ｂに示す背１５６の位置は、デフォルトの位置であり、第２変形例では、背１５６の位置を当該デフォルトの位置からユーザが所望する位置に変更する場合について説明する。
【０１３７】
先ず、ユーザが編集画面１１０に表示された用紙１３０を見て（図３のステップＳ７）、背１５６の位置を図１３Ｂの位置から図１４Ｂの位置に変更する必要があると判断した場合、図１５のステップＳ４１において、当該ユーザは、マウス１３４を操作して、第１ページと第８ページとを区切る線（第１ページの下側の辺１５４）をクリックする。これにより、背位置指定部６２は、背１５６の位置の変更を示す指示内容を受け付け、受け付けた指示内容を制御部４２に出力すると共に、クリックした辺１５４に背１５６を示す太線を表示させる。
【０１３８】
次のステップＳ４２において、天地方向決定部７０は、入力された指示内容に従って、面付けデータ蓄積部７８から面付けデータを読み出し、読み出した面付けデータ中、第１ページ（ページ１３２ｂ）について、指定された背１５６の位置及び上製本が開く方向に応じて、当該ページ１３２ｂの天地方向を決定する。
【０１３９】
例えば、上製本が右開きであれば、背１５６の位置は、第１ページの右側となり、一方で、上製本が左開きであれば、背１５６の位置は、第１ページの左側となる。そのため、背１５６の位置及び上製本が開く方向から、第１ページの天地方向を決定することができる。なお、上製本の開く方向は、ユーザがマウス３４を操作して、背１５６の位置と共に指示してもよいし、あるいは、面付けデータ蓄積部７８内で面付けデータと共に予め蓄積させておいてもよい。
【０１４０】
次のステップＳ４３において、天地方向決定部７０は、第１ページのページ１３２ｂの天地方向と背１５６の位置とに基づいて、他のページ１３２ａ、１３２ｂについても、天地方向を決定する。この場合、天地方向決定部７０は、第１ページの天地方向及び背１５６の位置との整合が取れるように、他のページ１３２ａ、１３２ｂの天地方向を決定する。具体的に、奇数のページ１３２ａ、１３２ｂについては、第１ページの天地方向と同じ方向に天地方向を変更し、偶数のページ１３２ａ、１３２ｂについては、第１ページの天地方向とは逆方向に天地方向を変更する。
【０１４１】
次のステップＳ４４において、天地方向決定部７０は、背１５６の位置及び天地方向が変更された面付けデータを面付けデータ作成部６４に出力する。面付けデータ作成部６４は、変更後の面付けデータを新たな面付けデータとして面付けデータ蓄積部７８に蓄積すると共に、表示データ作成部６６に出力する。表示データ作成部６６は、入力された新たな面付けデータに応じたラスタ形式データを作成し、表示制御部４６は、ラスタ形式データに応じた表示制御信号を表示部２８に出力する。
【０１４２】
これにより、表示部２８は、編集画面１１０の表示領域１１２に、図１４Ａ及び図１４Ｂに示すように、変更後の面付けデータで面付けされた仮想印刷物９２を表示させることができる。ユーザは、表示された仮想印刷物９２を見ることで、指示内容に従って背１５６の位置が変更され且つ全てのページ１３２ａ、１３２ｂの天地方向が変更されたことを確認することができる。
【０１４３】
［第３変形例］
図１６Ａ〜図２０に示す第３変形例は、用紙１３０の紙目方向と、背１５６の方向とが不一致である場合には、背１５６の方向を紙目方向に一致させるように、当該背１５６の位置を自動的に変更し、変更後の背１５６の位置に応じて各ページ１３２ａ、１３２ｂの天地方向を自動的に変更するものである。従って、第３変形例では、紙目方向と背１５６の方向とが不一致の場合、ユーザがマウス３４を操作することなく、背１５６の位置の変更と天地方向の変更とが実行される。
【０１４４】
すなわち、実際の製本過程では、図１６Ａ〜図１７Ｂに示すロール紙１６０から端物３８を形成する。この場合、ロール紙１６０には、当該ロール紙１６０の送り方向（用紙送り方向）に沿って紙目が延在する。そのため、ロール紙１６０から端物３８を形成し、該端物３８を折って折り丁を形成する場合、最終印刷物４０の背の方向と、紙目方向とを合わせておく必要がある。両者の方向が合わない場合には、背の部分を糊付けして上製本を形成しても、糊付け時にバタツキが発生したり、上製本が開きにくくなる。
【０１４５】
また、最初に、用紙送り方向に対してロール紙１６０を折り、その後、ロール紙１６０をＺ折り（外三つ折り）する場合もある。その際、ロール紙１６０の幅と、面付け後の端物３８との関係から、図１６Ａ及び図１６Ｂの幅方向（用紙送り方向に直交する横方向）に沿って各ページ１６２ａ、１６２ｂを割り当てるのではなく、用紙送り方向に沿った縦方向に各ページ１６２ａ、１６２ｂを配置したい場合がある。
【０１４６】
しかしながら、面付けデータのパターンを、図１６Ａ及び図１６Ｂから図１７Ａ及び図１７Ｂに変更することで、面付けデータがフォールドデータからグリッドデータに変更される場合には、当該面付けデータをＪＤＦの規約に沿った形で印刷サイト１６及び製本サイト１８に出力することができなくなる。この結果、製本サイト１８では、端物３８を折って折り丁を形成することができなくなる。そのため、面付けデータのパターンを回転させても、回転後の面付けデータがＪＤＦの規約に沿った形に維持され、製本サイト１８で折り丁を形成できるようにすることが必要である。
【０１４７】
そこで、第３変形例では、用紙１３０の紙目方向と背１５６の方向とが不一致である場合、背１５６の方向が紙目方向に一致するように背１５６の位置を変更すると共に、背１５６の位置の変更に対応して、各ページ１３２ａ、１３２ｂの天地方向も変更する。なお、図１８Ａ〜図１９Ｂは、背１５６の位置と各ページ１３２ａ、１３２ｂの天地方向とを変更させた後の用紙１３０の状態を図示している。
【０１４８】
具体的に、図３のステップＳ７でグリッドデータ及びフォールドデータの面付けデータが編集画面１１０に表示された後の図２０のステップＳ５１において、背位置決定部７２は、紙情報蓄積部７６から紙目情報を含む紙情報を取得する。また、ステップＳ５２において、背位置決定部７２は、面付けデータ蓄積部７８から面付けデータも読み出す。
【０１４９】
次のステップＳ５３において、背位置決定部７２は、面付けデータに含まれた最後に折る折り線と、用紙１３０（に応じたロール紙１６０）の紙目とが平行であるか否か（最後に折る折り線の方向と紙目方向とが一致するか否か）を判定する。
【０１５０】
両者が平行である場合（ステップＳ５３：ＹＥＳ）、背位置決定部７２は、最後に折る折り線の位置を背１５６の位置に決定する（ステップＳ５４）。この場合には、ＪＤＦの規約通りに、面付けデータに含まれる最後に折る折り線の位置が背１５６の位置となる。そのため、背位置決定部７２は、ステップＳ５５において、各ページ１３２ａ、１３２ｂの天地方向を変更しないことを決定する。すなわち、背位置決定部７２は、最後に折る折り線の方向と紙目方向とが一致しているため、面付けデータに対する変更処理を行わないことを決定する。
【０１５１】
そして、背位置決定部７２は、面付けデータに変更がない旨の情報を表示制御部４６に通知する。表示制御部４６は、通知された情報に応じた表示制御信号を表示部２８に供給して、編集画面１１０に表示させる（ステップＳ５６）。これにより、ユーザは、編集画面１１０の表示内容を見ることで、背１５６の方向と紙目方向とが一致しているため、面付けデータに変更がないことを把握することができる。
【０１５２】
一方、ステップＳ５３において、最後に折る折り線と紙目とが平行でない場合、すなわち、最後に折る折り線の方向と紙目方向とが一致しない場合（ステップＳ５３：ＮＯ）、背位置決定部７２は、面付けデータに設定されている最後に折る折り線の位置を、最終印刷物４０の袋に応じた位置に変更することを決定する（ステップＳ５７）。
【０１５３】
次のステップＳ５８において、背位置決定部７２は、袋の位置に応じて、第１ページ（ページ１３２ｂ）の４つの辺１５４のうち、紙目方向に平行な１つの辺１５４を新たな背１５６の位置として決定する。そして、背位置決定部７２は、決定した袋の位置及び新たな背１５６の位置を面付けデータに反映し、反映後の面付けデータを天地方向決定部７０に出力する。
【０１５４】
天地方向決定部７０は、背位置決定部７２から入力された面付けデータに関し、袋の位置及び新たな背１５６の位置に基づいて、全てのページ１３２ａ、１３２ｂの新たな天地方向を決定する。この場合、天地方向決定部７０は、袋の位置及び新たな背１５６の位置との整合が取れるように、全てのページ１３２ａ、１３２ｂの天地方向を決定する（ステップＳ５９）。
【０１５５】
具体的に、全てのページ１３２ａ、１３２ｂについて、袋の位置及び新たな背１５６の位置に応じて、天合わせ及び地合わせの状態となるように、全てのページ１３２ａ、１３２ｂの天地方向を決定する。すなわち、天地方向決定部７０は、紙情報と、背位置決定部７２が面付けデータ蓄積部７８から読み出した当初の面付けデータとから、天合わせ及び地合わせのための情報を取得し、取得した情報と、袋の位置及び新たな背１５６の位置とから、各ページ１３２ａ、１３２ｂの天地方向を決定すればよい。決定した天地方向は、面付けデータに反映され、面付けデータ作成部６４に出力される。
【０１５６】
面付けデータ作成部６４は、天地方向決定部７０から入力された面付けデータを、新たな面付けデータとして面付けデータ蓄積部７８に蓄積すると共に、表示データ作成部６６に出力する。表示データ作成部６６は、入力された新たな面付けデータに応じたラスタ形式データを作成し、表示制御部４６は、ラスタ形式データに応じた表示制御信号を表示部２８に出力する。
【０１５７】
これにより、表示部２８は、編集画面１１０の表示領域１１２に、図１８Ａ〜図１９Ｂに示す、変更後の面付けデータで面付けされた仮想印刷物９２を表示させることができる（ステップＳ５６）。ユーザは、表示された仮想印刷物９２を見ることで、紙目方向に沿って背１５６の位置が変更され且つ全てのページ１３２ａ、１３２ｂの天地方向が変更されたことを確認することができる。
【０１５８】
［本実施形態の効果］
以上説明したように、本実施形態では、折り線情報追加指示部５６から面付けデータ作成部６４に折り線情報の追加が指示された場合、面付けデータ作成部６４は、グリッドデータからなる面付けデータにフォールドデータ（折り線情報）を追加する。これにより、製本サイト１８では、追加後の面付けデータで面付けされた端物３８について、当該面付けデータに追加されたフォールドデータに従って端物３８を折り、折り丁を形成することができる。
【０１５９】
つまり、本実施形態では、グリッドデータからなる面付けデータにフォールドデータを単に追加するだけで、グリッドデータで面付けされた端物３８であっても、製本サイト１８で折って折り丁を形成することができる。すなわち、追加されたフォールドデータは、製本サイト１８に折り線等の情報を伝え、該製本サイト１８で正しく折って折り丁を形成する目的で用いられる。
【０１６０】
また、折り線情報追加指示部５６から面付けデータ作成部６４に折り線情報の追加が指示された後、折り線情報入力部５８から面付けデータ作成部６４に折り線情報を指示すると、面付けデータ作成部６４は、指示された折り線情報に従って、面付けデータにフォールドデータを追加する。これにより、ユーザが指定した通りにフォールドデータが面付けデータに追加されるので、面付けを容易に行うことができる。
【０１６１】
また、面付けデータ作成部６４は、グリッドデータで面付けした面付けデータをページ情報蓄積部７４に一旦蓄積し、折り線情報追加指示部５６から指示を受けた場合に、ページ情報蓄積部７４から面付けデータを読み出し、折り線情報入力部５８から折り線情報の入力が指示されたときに、面付けデータにフォールドデータを追加する。これにより、仮想印刷物９２にグリッドデータ及びフォールドデータが面付けされた新たな面付けデータを生成することができる。
【０１６２】
さらに、本実施形態では、面付けデータ作成部６４による面付けデータの編集過程を表示部２８の編集画面１１０に表示する。この場合、折り線情報追加指示部５６から面付けデータ作成部６４に折り線情報の追加が指示されると、編集画面１１０では、面付けされていない仮想印刷物９２、仮想印刷物９２へのフォールドデータの面付け、当該仮想印刷物９２へのグリッドデータの面付け、が順に表示される。このように、編集画面１１０に面付けデータの編集過程が順に表示されることにより、ユーザによる面付け作業の利便性が向上する。
【０１６３】
また、本実施形態では、第１変形例のように、先頭ページ（第１ページ）に対してのみ天地方向の回転を指示するだけで、他のページ１３２ａ、１３２ｂ、１５２の天地方向も一斉に回転するため、ユーザが所望する面付けを行うことができる。
【０１６４】
この場合、先頭ページのインデックス番号（ｘｆ、ｙｆ）及び回転角度ｒ°と、他のページ１５２のインデックス番号（ｘｉ、ｙｉ）とに基づいて、回転角度ｒ°に応じた所定角度（＋ｒ°又は−ｒ°）だけ他のページ１５２を回転させるので、当該他のページ１５２に対する回転処理を正確に且つ効率よく行うことができる。
【０１６５】
また、第２変形例のように、ユーザが所望の１つの辺１５４を背１５６の位置に指定した場合に、指定した背１５６の位置に応じて全てのページ１３２ａ、１３２ｂの天地方向が自動的に変更されるので、面付け作業に対する利便性が一層向上する。
【０１６６】
さらに、第３変形例のように、最後に折る折り線の方向と紙目方向とが不一致であれば、最後に折った折り線の位置を袋の位置に設定し、当該袋の位置から新たな背１５６の位置を決定する。そして、袋の位置及び新たな背１５６の位置に対応して、全てのページ１３２ａ、１３２ｂの天地方向を決定し、全てのページ１３２ａ、１３２ｂの現在の天地方向を新たな天地方向に変更する。これにより、紙目方向に基づく背１５６の位置の決定や、決定した背１５６の位置に応じた全てのページ１３２ａ、１３２ｂの天地方向の変更を、自動的に行うことができる。このように、紙目方向と天地方向及び背１５６の方向とを一致させることで、製本サイト１８で背の部分を糊付けして上製本を形成したときのバタツキの発生や、上製本を開きにくいという問題を回避することができる。
【０１６７】
なお、本発明は、上記の説明に限定されることはなく、種々の改変が可能であることは勿論である。
【符号の説明】
【０１６８】
１０…データ編集装置                      １２…印刷システム
１４…製版サイト                          １６…印刷サイト
１８…製本サイト                          ２８…表示部
３０…入力部                              ３２…キーボード
３４…マウス                              ３８…端物
４０…最終印刷物                          ４２…制御部
５０…メモリ                              ５２…入力方式選択部
５４…ページ情報入力部                    ５６…折り線情報追加指示部
５８…折り線情報入力部                    ６０…回転指示部
６２…背位置指定部                        ６４…面付けデータ作成部
６８…回転処理部                          ７０…天地方向決定部
７２…背位置決定部                        ７４…ページ情報蓄積部
７６…紙情報蓄積部                        ７８…面付けデータ蓄積部
８０…画面
８２、８４、８６、１１２…表示領域        ８８、９０…アイコン群
９２…仮想印刷物
９３、１１４、１３０、１５０…用紙
９６、９６ａ、９６ｂ、９８、９８ａ、９８ｂ、１１６ａ、１１６ｂ、１１８ａ、１１８ｂ、１３２ａ、１３２ｂ、１５２、１６２ａ、１６２ｂ…ページ
１０２…折り丁設定領域                    １０４…面付けパターン設定領域
１０６…ウィジェット                      １１０…編集画面
１２２…チェックボックス                  １２４…ラジオボタン群
１２６、１３６、１３８、１４０…折り線    １５４…辺
１５６…背                                １６０…ロール紙
【図１】
2014207632.tif 000003
【図２】
2014207632.tif 000004
【図３】
2014207632.tif 000005
【図４】
2014207632.tif 000006
【図５】
2014207632.tif 000007
【図６】
2014207632.tif 000008
【図７】
2014207632.tif 000009
【図８】
2014207632.tif 000010
【図９】
2014207632.tif 000011
【図１０】
2014207632.tif 000012
【図１１】
2014207632.tif 000013
【図１２】
2014207632.tif 000014
【図１３】
2014207632.tif 000015
【図１４】
2014207632.tif 000016
【図１５】
2014207632.tif 000017
【図１６】
2014207632.tif 000018
【図１７】
2014207632.tif 000019
【図１８】
2014207632.tif 000020
【図１９】
2014207632.tif 000021
【図２０】
2014207632.tif 000022